(57)【特許請求の範囲】
【請求項１】
ジョイナーと建築板とからなる出隅構造であって、
ジョイナーは固定部と、突出部と、係止部とからなり、
ジョイナーの突出部は、固定部から前方に突出した側面部と、係止部から前方に突出した側面部と、２つの側面部を連結する連結部とからなり、
ジョイナーの固定部は、構造躯体に固定されており、
ジョイナーの固定部の前面には建築板が固定されており、
側面が曲面状で、裏面に溝を有する別の建築板が、該溝にジョイナーの係止部が挿入した状態で固定されており、
２枚の建築板は、ジョイナーの突出部を挟み、側面と表面とが揃えられた状態で固定されており、
突出部の係止部側の側面部には、緩衝材が、ジョイナーの係止部が挿入された建築板の裏面と当接した状態で配されており、
緩衝材は、ゴム発泡体、合成樹脂発泡体のいずれかであって、突出部の連結部には配されておらず、
２枚の建築板と、緩衝材と、ジョイナーの連結部とで囲まれた領域にはシーリングが充填されている
ことを特徴とする出隅構造。
【請求項２】
突出部の固定部側の側面部には、別の緩衝材が、ジョイナーの固定部の前面に固定された建築板の側面と当接した状態で配されている
ことを特徴とする請求項１に記載の出隅構造。
【請求項３】
緩衝材はジョイナーに接着されている
ことを特徴とする請求項１又は２に記載の出隅構造。
【請求項４】
ジョイナーはスペーサーを介して構造躯体に固定されている
ことを特徴とする請求項１〜３のいずれかに記載の出隅構造。
【発明の詳細な説明】
【技術分野】
【０００１】
本発明は、建物の出隅部を形成する出隅構造に関するものである。
【背景技術】
【０００２】
従来から、２枚の建築板を用いて、建物の出隅部を形成することが行われている。例えば、特許文献１、非特許文献１には、２枚の建築板を垂直となるように配して建物の出隅部を形成する際に、裏面に溝を有する建築板を用い、該溝にハットジョイナーを差し込んで固定することが開示されている。
【０００３】
従来技術によれば、施工時に建築板の位置をあわせることが容易で、施工後も該建築板は位置ズレが発生しにくい。しかし、ハットジョイナーを差し込んだ状態で建築板を固定しようとすると、該建築板は破損しやすいことが判明した。すなわち、建築板を固定する際に、該建築板を係止した状態の金具に釘を打ち込む、又は、該建築板に直接釘を打ち込むことが行われるが、いずれの方法を行っても該建築板に振動が与えられる。また、施工後でも地震等により建物が揺れると、建築板に振動が与えられる。その際に、建築板において、溝より外側にある部分は、ハットジョイナーを支点として揺れることとなり、破損しやすいことが判明した。
【先行技術文献】
【特許文献】
【０００４】
【特許文献１】特許第４５７３９０５号公報
【非特許文献】
【０００５】
【非特許文献１】実用新案登録第３１６５５５１号公報
【発明の概要】
【発明が解決しようとする課題】
【０００６】
本発明は、前述した事情に鑑みてなされたものであり、建築板が破損しにくい出隅構造を提供するものである。
【課題を解決するための手段】
【０００７】
本発明は、ジョイナーと建築板とからなる出隅構造である。ジョイナーは固定部と、突出部と、係止部とからなり、該固定部は、構造躯体に固定されるとともに、その前面には建築板が固定されている。側面が曲面状で、裏面に溝を有する別の建築板が、該溝にジョイナーの係止部が挿入した状態で固定されている。２枚の建築板は、ジョイナーの突出部を挟んだ状態で固定されており、２枚の建築板とジョイナーの突出部の間にはシーリングが充填されている。そして、ジョイナーの突出部と、該ジョイナーの係止部が挿入された建築板の間には、緩衝材が配されている。緩衝材としては、エチレンゴムやＥＰＤＭ（エチレン・プロピレンゴム）等からなるゴム発泡体、或いはポリエチレン等の合成樹脂発泡体等が例示される。これらの構成により、施工、地震などの際に建築板に振動が与えられたとしても、緩衝材によって振動が吸収され、建築板の破損を防ぐことができる。ジョイナーの固定部の前面に固定された建築板は、該ジョイナーの突出部と当接していても良いし、該ジョイナーの突出部との間に緩衝材が配されていても良い。また、緩衝材はジョイナーに接着されていると、施工しやすいので好ましい。更に、ジョイナーがスペーサーを介して構造躯体に固定されていると、構造躯体に不陸があっても、ジョイナーの係止部が挿入している建築板の側面と、ジョイナーの固定部の前面に配される建築板の表面を揃えることができるので、好ましい。なお、２枚の建築板は、互いに垂直となるよう固定されていることが好ましい。
【発明の効果】
【０００８】
本発明によれば、建築板が破損しにくい出隅構造を提供することができる。
【図面の簡単な説明】
【０００９】
【図１】図１は、本発明にかかる出隅構造で用いられるジョイナーの一実施例の斜視図である。
【図２】図２は、本発明にかかる出隅構造の一実施例を上から見た図である。
【図３】図３は、本発明にかかる出隅構造で用いられるジョイナーの別の実施例の斜視図である。
【図４】図４は、本発明にかかる出隅構造で用いられるジョイナーの更に別の実施例の斜視図である。
【図５】図５は、本発明にかかる出隅構造で用いられるジョイナーの更に別の実施例の斜視図である。
【図６】図６は、本発明にかかる出隅構造の別の実施例を上から見た図である。
【図７】図７は、本発明にかかる出隅構造で用いられるジョイナーの更に別の実施例の斜視図である。
【図８】図８は、本発明にかかる出隅構造の更に別の実施例を上から見た図である。
【図９】図９は、本発明にかかる出隅構造で用いられるジョイナーの更に別の実施例の斜視図である。
【図１０】図１０は、本発明にかかる出隅構造で用いられるジョイナーの更に別の実施例の斜視図である。
【図１１】図１１は、本発明にかかる出隅構造の更に別の実施例を上から見た図である。
【図１２】図１２は、本発明にかかる出隅構造で用いられるジョイナーの更に別の実施例の斜視図である。
【図１３】図１３は、本発明にかかる出隅構造の更に別の実施例を上から見た図である。
【発明を実施するための形態】
【００１０】
以下、図面を参照しながら本発明について詳細に説明する。
【００１１】
図１は、本発明にかかる出隅構造で用いられるジョイナーの一実施例の斜視図である。
図１に示すジョイナーＡ１は、固定部ａ１と、突出部ｂ１と、係止部ｃ１と、緩衝材ｄ１とからなる。固定部ａ１は、平坦な板部であり、ジョイナーＡ１の上下に延びている。固定部ａ１の左端からは突出部ｂ１が、固定部ａ１よりも前方に突出するよう設けられている。詳しくは、固定部ａ１から延びた側面部と、該側面部の上端から固定部ａ１とは反対側に向かって延びた連結部と、該連結部の左端から後方に延びた側面部とからなる。なお、突出部ｂ１も、ジョイナーＡ１の上下にわたって延びている。更に、突出部ｂ１の左端からは係止部ｃ１が、固定部ａ１とは反対側に延びている。なお係止部ｃ１は、平坦な板部であり、固定部ａ１とは平行に設けられている。詳しくは、係止部ｃ１は、固定部ａ１の延長線上に設けられており、上からジョイナーＡ１を見た際に、固定部ａ１と係止部ｃ１は同一直線上にある。なお、係止部ｃ１も、ジョイナーＡ１の上下にわたって延びている。よって、突出部ｂ１は、固定部ａ１と係止部ｃ１の間に、固定部ａ１及び係止部ｃ１よりも前方に突出するよう設けられている。
そして、係止部ｃ１と隣接した突出部ｂ１の側面部には、緩衝材ｄ１としてＥＰＤＭが接着されている。このＥＰＤＭは、突出部ｂ１の側面において、ジョイナーＡ１の上下にわたって延びている。よって、緩衝材ｄ１は、係止部ｃ１よりも前方に設けられている。なお、図１のジョイナーＡ１において、係止部ｃ１と隣接した突出部ｂ１の側面部は、係止部ｃ１に対して垂直となるよう設けられている。
【００１２】
図２は、図１に示すジョイナーＡ１を用いて形成された、本発明にかかる出隅構造の一実施例を上から見た図である。
図２は、建物の出隅部分の施工状態を示しており、出隅部分となる柱の２辺には、胴縁Ｂ１と胴縁Ｂ２が、互いに垂直でＬ字形を形成するよう、端部を揃えた状態で、釘により固定されている。なお、柱と胴縁Ｂ１の間、及び柱と胴縁Ｂ２の間には、防水紙が挟まれている。
胴縁Ｂ１の外側には、スペーサーＤを介してジョイナーＡ１が、ジョイナーＡ１の固定部ａ１に釘が打ち込まれて固定されている。ジョイナーＡ１の外側には、建築板Ｅ１が、端辺を、ジョイナーＡ１の固定部ａ１と隣接した突出部ｂ１の側面部に当接した状態で、留め付け金具Ｃ１により係止されている。ここで、留め付け金具Ｃ１は、胴縁Ｂ１から５mm離して建築板Ｅ１を係止しているので、スペーサーＤとジョイナーＡ１は、建築板Ｅ１と胴縁Ｂ１に挟まれた状態であっても不具合は発生しない。更に、建築板Ｅ１は、端辺をジョイナーＡ１の固定部ａ１と隣接した突出部ｂ１の側面部に当接した状態で係止するので、容易に位置があわせられる。
胴縁Ｂ２の外側には、側面ｅ１が曲面状とされ、裏面に溝ｅ２を有する建築板Ｅ２が、溝ｅ２にジョイナーＡ１の係止部ｃ１が挿入し、建築板Ｅ２の裏面が緩衝材ｄ１と当接した状態で、留め付け金具Ｃ２により係止されている。なお、建築板Ｅ２の溝ｅ２は、側面ｅ１よりも、板厚と同じ長さだけ内側の位置に、建築板Ｅ２の上下にわたって延びている。ここで、溝ｅ２にジョイナーＡ１の係止部ｃ１が挿入されているのだが、建築板Ｅ２の裏面とジョイナーＡ１の突出部ｂ１との間には緩衝材ｄ１が配されているので、施工、地震などの際に建築板Ｅ２に振動が与えられたとしても、緩衝材ｄ１によって振動が吸収され、建築板Ｅ２の破損を防ぐことができる。また、スペーサーＤを介してジョイナーＡ１が固定されているので、構造躯体に不陸があっても、スペーサーＤにより不陸は調整され、建築板Ｅ１の表面と、建築板Ｅ２の側面とを揃えることができる。なお、従来と同じように、建築板Ｅ２の側面ｅ１と建築板Ｅ１の表面の位置が揃い、容易に位置があわせられる、ジョイナーＡ１は、胴縁Ｂ１に釘で固定されているので、ジョイナーＡ１によって建築板Ｅ１と建築板Ｅ２は強固に固定され、施工後に位置ズレが発生しないなどの効果も得られる。
そして、建築板Ｅ１と、建築板Ｅ２と、ジョイナーＡ１で囲まれた領域には、シーリングが充填されている。
【００１３】
図３は、本発明にかかる出隅構造で用いられるジョイナーの別の実施例の斜視図である。
図３に示すジョイナーＡ２は、緩衝材の形状以外は図１に示すジョイナーＡ１と同じである。
ジョイナーＡ２では、係止部ｃ２と隣接した突出部ｂ２の側面部に、複数の緩衝材ｄ２が接着されている。なお、緩衝材ｄ２はＥＰＤＭである。しかし、ジョイナーＡ２を用いても、図２に示す施工構造を行うことができるとともに、ジョイナーＡ１と同様の効果を得ることができる。
【００１４】
図４は、本発明にかかる出隅構造で用いられるジョイナーの更に別の実施例の斜視図である。
図４に示すジョイナーＡ３は、突出部に緩衝材が接着されていないこと以外は図１に示すジョイナーＡ１と同じである。
そのため、ジョイナーＡ３を用いる際には、ジョイナーＡ３と建築板Ｅ２の裏面との間に、上下に延びた緩衝材を配する。それにより、ジョイナーＡ３を用いても、図２に示す施工構造を行うことができるとともに、ジョイナーＡ１と同様の効果を得ることができる。
【００１５】
図５は、本発明にかかる出隅構造で用いられるジョイナーの更に別の実施例の斜視図であり、図６は、図５に示すジョイナーを用いて形成された、本発明にかかる出隅構造の別の実施例を上から見た図である。
図５に示すジョイナーＡ４は、固定部と隣接する突出部の側面部に緩衝材が接着されている以外は図１に示すジョイナーＡ１と同じである。
ジョイナーＡ４では、固定部ａ４と隣接した突出部ｂ４の側面部には、緩衝材ｄ４２が接着されており、緩衝材ｄ４２は、ジョイナーＡの上下にわたって延びている。なお、係止部ｃ４と隣接した突出部ｂ４の側面部には、緩衝材ｄ４１が接着されており、緩衝材ｄ４１、ｄ４２はＥＰＤＭである。しかし、ジョイナーＡ４を用いても、図６に示すように、建物の出隅部を形成する２つの建築板の小口の間に施工することが可能であるとともに、ジョイナーＡ１と同様の効果を得ることができる。また、固定部と隣接する突出部ｂ４の側面部に緩衝材ｄ４２が配されているので、施工の際に建築板Ｅ１を激しく当接させたとしても建築板Ｅ１が破損することがなく、建築板Ｅ１とジョイナーＡ４の間に隙間ができないなどの効果も奏する。
【００１６】
図７は、本発明にかかる出隅構造で用いられるジョイナーの更に別の実施例の斜視図であり、図８は、図７に示すジョイナーを用いて形成された、本発明にかかる出隅構造の更に別の実施例を上から見た図である。
図７に示すジョイナーＡ５は、突出部と緩衝材の形状以外は図５に示すジョイナーＡ４と同じである。
ジョイナーＡ５では、係止部ｃ５と隣接した突出部ｂ５の側面部は、係止部ｃ５に対して垂直ではなく、傾斜をなしている。そして、該側面部に、複数の緩衝材ｄ５が接着されており、緩衝材ｄ５は、建築板Ｅ２と当接する面が係止部ｃ５に対して垂直となるよう設けられている。なお、緩衝材ｄ５はＥＰＤＭである。また、固定部ａ５と隣接した突出部ｂ５の側面部にも、複数の緩衝材ｄ５が接着されている。しかし、ジョイナーＡ５を用いても、図８に示すように、建物の出隅部を形成する２つの建築板の小口の間に施工することが可能であるとともに、ジョイナーＡ４と同様の効果を得ることができる。
【００１７】
図９は、本発明にかかる出隅構造で用いられるジョイナーの更に別の実施例の斜視図である。
図９に示すジョイナーＡ６は、固定部と隣接する突出部の側面部に接着されている緩衝材の形状以外は図７に示すジョイナーＡ５と同じである。
ジョイナーＡ６では、固定部ａ６と隣接した突出部ｂ６の側面部には、複数の緩衝材ｄ６２が接着されている。なお、係止部ｃ６と隣接した突出部ｂ６の側面部には緩衝材ｄ６１が接着されており、緩衝材ｄ６１、ｄ６２はＥＰＤＭであり、緩衝材ｄ６２は緩衝材ｄ６１よりも長さが短い。それ以外はジョイナーＡ５と同じであり、ジョイナーＡ６を用いても、建物の出隅部を形成する２つの建築板の小口の間に施工することが可能であるとともに、ジョイナーＡ５と同様の効果を奏する。
【００１８】
図１０は、本発明にかかる出隅構造で用いられるジョイナーの更に別の実施例の斜視図であり、図１１は、図１０に示すジョイナーを用いて形成された、本発明にかかる出隅構造の更に別の実施例を上から見た図である。
図１０に示すジョイナーＡ７は、突出部の形状以外は図５に示すジョイナーＡ４と同じである。
ジョイナーＡ７では、固定部ａ７と隣接した突出部ｂ７の側面部は、固定部ａ７に対して傾斜ではなく、垂直に設けられている。そして、該側面部に、緩衝材ｄ７が接着されている。なお、緩衝材ｄ７はＥＰＤＭである。しかし、ジョイナーＡ７を用いても、図１１に示すように、建物の出隅部を形成する２つの建築板の小口の間に施工することが可能であるとともに、ジョイナーＡ４と同様の効果を得ることができる。
【００１９】
図１２は、本発明にかかる出隅構造で用いられるジョイナーの更に別の実施例の斜視図であり、図１３は、図１２に示すジョイナーを用いて形成された、本発明にかかる出隅構造の更に別の実施例を上から見た図である。
図１２に示すジョイナーＡ８は、突出部と緩衝材の形状以外は図５に示すジョイナーＡ４と同じである。
ジョイナーＡ８では、突出部ｂ８は、半円柱状に形成されている。そして、突出部ｂ８の両側面部には、緩衝材ｄ８が接着されている。なお、緩衝材ｄ８はＥＰＤＭである。しかし、ジョイナーＡ８を用いても、図１３に示すように、建物の出隅部を形成する２つの建築板の小口の間に施工することが可能であるとともに、ジョイナーＡ４と同様の効果を得ることができる。
【００２０】
以上に本発明の実施形態について説明したが、本発明はこれに限定されず、特許請求の範囲に記載の発明の範囲において種々の変形態を取り得る。
【産業上の利用可能性】
【００２１】
以上説明したように、本発明によれば、建築板が破損しにくい出隅構造を提供することができる。
【符号の説明】
【００２２】
Ａ１〜Ａ８      ジョイナー
Ｂ１〜Ｂ２      胴縁
Ｃ１〜Ｃ２      留め付け金具
Ｄ              スペーサー
Ｅ１〜Ｅ２      建築板
ａ１〜ａ８      固定部
ｂ１〜ｂ８      突出部
ｃ１〜ｃ８      係止部
ｄ１、ｄ２、ｄ５、ｄ７、ｄ８、ｄ４１、ｄ４２、ｄ６１、ｄ６２      緩衝材
ｅ１            曲面形状の端辺
ｅ２            溝
【図１】
0005756347.tif 000002
【図２】
0005756347.tif 000003
【図３】
0005756347.tif 000004
【図４】
0005756347.tif 000005
【図５】
0005756347.tif 000006
【図６】
0005756347.tif 000007
【図７】
0005756347.tif 000008
【図８】
0005756347.tif 000009
【図９】
0005756347.tif 000010
【図１０】
0005756347.tif 000011
【図１１】
0005756347.tif 000012
【図１２】
0005756347.tif 000013
【図１３】
0005756347.tif 000014